(57)【要約】【課題】ケース本体と蓋とをスムーズに組み付けることができる蓄電装置を提供する。【解決手段】二次電池１０は、電極組立体１２と、電極組立体１２を収容するケース本体１３及び蓋１４を有する金属製のケース１１とを備える。導電部材１７は、電極組立体１２が有する正極タブ群２５ａ又は負極タブ群２８ａと接合され、蓋１４と、蓋１４の内面１４ａに対向し、かつ正極タブ群２５ａ及び負極タブ群２８ａが存在する電極組立体１２のタブ側端面１２ａとの間に配置される。絶縁カバー６０は、蓋１４と導電部材１７との間に配置され、両者を絶縁する。絶縁カバー６０は、ケース本体１３の内面３１ａ，３２ａと当接する当接面６７ａ，６８ａ，７４ａと、当接面６７ａ，６８ａ，７４ａよりも電極組立体１２側に位置し、かつ電極組立体１２に近付くにつれてケース本体１３の内面３１ａ，３２ａから離れる形状の斜面部６７ｂ，６８ｂ，７４ｂとを有する。【選択図】図３
2018190510.tif 000002
【特許請求の範囲】
【請求項１】
正極と負極の電極が絶縁された状態で積層され、かつ前記電極から突出したタブが同じ極性同士で積層されたタブ群を有する電極組立体と、
前記電極組立体を収容するケース本体、及び該ケース本体の開口部を閉塞する蓋を有する金属製のケースと、
同じ極性の前記タブ群と接合され、前記蓋と、該蓋の内面に対向し、かつ前記タブ群が存在する前記電極組立体のタブ側端面との間に配置された一対の導電部材と、
前記蓋と前記導電部材との間に配置され、両者を絶縁する絶縁カバーと、
を備えた蓄電装置であって、
前記絶縁カバーは、前記ケース本体の内面と当接するカバー側当接部と、前記カバー側当接部よりも前記電極組立体側に位置し、かつ前記電極組立体に近付くにつれて前記ケース本体の内面から離れる形状のガイド部とを有することを特徴とする蓄電装置。
【請求項２】
前記蓋は、前記蓋の内面から前記電極組立体側に向かって突出する突出部を有し、
前記突出部は、前記ケース本体の内面と当接する蓋側当接部を有する請求項１に記載の蓄電装置。
【発明の詳細な説明】
【技術分野】
【０００１】
本発明は、絶縁カバーを備えた蓄電装置に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。二次電池としては、例えば、正極電極と負極電極とをセパレータを間に挟んだ状態で積層した電極組立体を金属製のケース内に収容して構成されたものがある。
【０００３】
ケースは、有底筒状のケース本体と、ケース本体の開口部を閉塞する板状の蓋とを有する。ケース本体は、底壁と、底壁の周縁から立設された側壁とを有する。蓋としては、例えば特許文献１に記載のように、ケースの内側に臨む面からケース本体の底壁側に向かって突出した突出部を備えるものがある。このように蓋が突出部を有する場合は、ケース本体の側壁の内面によって構成される開口部に対して蓋の突出部を挿入することで、ケース本体と蓋とを組み付ける。
【先行技術文献】
【特許文献】
【０００４】
【特許文献１】特開２０１５−１３３３００号公報
【発明の概要】
【発明が解決しようとする課題】
【０００５】
ところで、蓋が突出部を有する構造においては、蓋の突出部をケース本体に挿入してからケース本体と蓋とを組み付ける必要があり、突出部が寸法精度良く作製されている場合には、ケース本体と蓋の組み付けに時間を要する。
【０００６】
本発明は、上記課題を解決するためになされたものであり、その目的は、ケース本体と蓋とをスムーズに組み付けることができる蓄電装置を提供することにある。
【課題を解決するための手段】
【０００７】
上記問題点を解決するための蓄電装置は、正極と負極の電極が絶縁された状態で積層され、かつ前記電極から突出したタブが同じ極性同士で積層されたタブ群を有する電極組立体と、前記電極組立体を収容するケース本体、及び該ケース本体の開口部を閉塞する蓋を有する金属製のケースと、同じ極性の前記タブ群と接合され、前記蓋と、該蓋の内面に対向し、かつ前記タブ群が存在する前記電極組立体のタブ側端面との間に配置された一対の導電部材と、前記蓋と前記導電部材との間に配置され、両者を絶縁する絶縁カバーと、を備えた蓄電装置であって、前記絶縁カバーは、前記ケース本体の内面と当接するカバー側当接部と、前記カバー側当接部よりも前記電極組立体側に位置し、かつ前記電極組立体に近付くにつれて前記ケース本体の内面から離れる形状のガイド部とを有することを要旨とする。
【０００８】
蓄電装置の製造方法の一つに、蓋に導電部材と絶縁カバーが一体に組み付けられるとともに、タブ群と導電部材とが接合された状態で、電極組立体をケース本体に収容し、その後、蓋をケース本体に接合する方法がある。この方法では、絶縁カバーが蓋から突出した状態にある。そして、蓋をケース本体に組み付ける際、蓋よりも電極組立体側に位置する絶縁カバーがケース本体内に収容された後で、ケース本体と蓋とが組み付けられる。このとき、絶縁カバーはガイド部によってケース本体の開口部に挿入されるように案内され、蓋は絶縁カバーによってケース本体の開口部に向かうように案内されるため、ケース本体と蓋とをスムーズに組み付けることができる。また、絶縁カバーの当接部がケース本体の内面に当接することによって、ケース本体と蓋との位置ずれが抑制される。また、一般に絶縁カバーの材料には樹脂等が用いられるため、絶縁カバーが金属製のケース本体と接触したとしても、金属製の蓋が金属製のケース本体と接触する場合よりも、異物の発生を抑制できる。
【０００９】
また、蓄電装置について、前記蓋は、前記蓋の内面から前記電極組立体側に向かって突出する突出部を有し、前記突出部は、前記ケース本体の内面と当接する蓋側当接部を有するのが好ましい。
【００１０】
これによれば、絶縁カバーの当接部に加えて、蓋の当接部がケース本体の内面と当接する。また、蓋は、金属製であるため、絶縁カバーに比べて剛性が高い。よって、ケース本体と蓋との位置ずれをより抑制できる。
【発明の効果】
【００１１】
本発明によれば、ケース本体と蓋とをスムーズに組み付けることができる。
【図面の簡単な説明】
【００１２】
【図１】実施形態の二次電池の分解斜視図。
【図２】（ａ），（ｂ）は二次電池の断面図。
【図３】（ａ），（ｂ）は二次電池の断面図、（ｃ），（ｄ）は（ｂ）の拡大図。
【図４】絶縁カバーの分解斜視図。
【図５】（ａ），（ｂ）は別例の絶縁カバーの断面図。
【発明を実施するための形態】
【００１３】
以下、蓄電装置を二次電池に具体化した一実施形態を図１〜図４にしたがって説明する。
図１に示すように、蓄電装置としての二次電池１０は、ケース１１を備える。二次電池１０は、ケース１１に収容された電極組立体１２を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１４】
ケース本体１３は、矩形板状の底壁３０と、底壁３０の一対の長側縁から立設された長側壁３１と、底壁３０の一対の短側縁から立設された短側壁３２とを有する。以下、長側壁３１及び短側壁３２の面に沿う方向を立設方向という。蓋１４において、ケース１１の内側に臨む面を内面１４ａとし、ケース１１の外側に臨む面を外面１４ｂとする。図２（ａ）及び図２（ｂ）に示すように、蓋１４は、蓋１４の内面１４ａから蓋１４の厚さ方向に突出した矩形状の突出部４０を有する。突出部４０は、一対の長辺に沿う縁部に蓋側当接部としての長側当接面４１を備え、一対の短辺に沿う縁部に蓋側当接部としての短側当接面４２を備える。図３（ａ）及び図３（ｂ）に示すように、ケース本体１３と蓋１４とを組み付けた状態において、突出部４０の長側当接面４１は、ケース本体１３の長側壁３１の内面３１ａと当接し、突出部４０の短側当接面４２は、ケース本体１３の短側壁３２の内面３２ａと当接する。つまり、突出部４０の縁部の形状は、長側壁３１及び短側壁３２の内面３１ａ，３２ａによって構成されるケース本体１３の開口部１３ａの形状と一致する。
【００１５】
図２（ａ）及び図３（ａ）に示すように、電極組立体１２は、シート状の複数の正極電極２０と負極電極２１とセパレータ２２とを備える。電極組立体１２は、正極電極２０と負極電極２１との間にセパレータ２２を介在させ、かつ相互に絶縁させた状態で積層した層状構造を備える。
【００１６】
正極電極２０は、矩形シート状の正極金属箔（例えばアルミニウム箔）２３と、正極金属箔２３の両面に存在する正極活物質層２４とを有する。正極電極２０は、一対の長辺に沿う縁部のうちの一方の縁部に第１縁部２０ａを備える。正極電極２０は、第１縁部２０ａの一部から突出した形状のタブとしての正極タブ２５を有する。正極タブ２５は、正極活物質層２４が存在せず、正極金属箔２３そのもので構成されている。
【００１７】
負極電極２１は、矩形シート状の負極金属箔（例えば銅箔）２６と、負極金属箔２６の両面に存在する負極活物質層２７とを有する。負極電極２１は、一対の長辺に沿う縁部のうちの一方の縁部に第１縁部２１ａを備える。負極電極２１は、第１縁部２１ａの一部から突出した形状のタブとしての負極タブ２８を有する（図１参照）。負極タブ２８は、負極活物質層２７が存在せず、負極金属箔２６そのもので構成されている。複数の正極タブ２５及び負極タブ２８は、正極電極２０及び負極電極２１が積層された状態で、正極タブ２５と負極タブ２８とが重ならない位置に存在する。セパレータ２２は、絶縁性を有し、正極電極２０と負極電極２１とを絶縁する。正極電極２０、負極電極２１、及びセパレータ２２が積層された方向を電極組立体１２の積層方向とする。
【００１８】
電極組立体１２は、タブ側端面１２ａを備える。タブ側端面１２ａは、正極電極２０の第１縁部２０ａ、負極電極２１の第１縁部２１ａ、及びセパレータ２２の縁部を寄せ集めて形成されている。電極組立体１２を構成する各正極電極２０は、それぞれの正極タブ２５が積層方向に沿って列状に配置されるように積層される。同様に、電極組立体１２を構成する各負極電極２１は、それぞれの負極タブ２８が積層方向に沿って列状に配置されるように積層される。
【００１９】
二次電池１０は、タブ側端面１２ａから突出した正極タブ群２５ａを有する。正極タブ群２５ａは、全ての正極タブ２５を電極組立体１２における積層方向の一端側に寄せ集め、積層して構成されている。また、二次電池１０は、タブ側端面１２ａから突出した負極タブ群２８ａを有する。負極タブ群２８ａは、全ての負極タブ２８を電極組立体１２における積層方向の一端側に寄せ集め、積層して構成されている。
【００２０】
正極タブ群２５ａ及び負極タブ群２８ａは、それぞれ積層方向一端側に基端側曲げ部２９ａを備える。基端側曲げ部２９ａは、正極タブ群２５ａ及び負極タブ群２８ａにおいて、積層方向一端側に寄せ集められ、積層方向一端側から積層方向他端側に向けて曲げられた部分を含む。また、正極タブ群２５ａ及び負極タブ群２８ａは、それぞれ延出部２９ｂを備える。延出部２９ｂは、基端側曲げ部２９ａから電極組立体１２の積層方向に延びる部分である。正極タブ群２５ａ及び負極タブ群２８ａは、それぞれ延出部２９ｂより先端側に、積層方向他端側から積層方向一端側に向けて曲げられた先端側曲げ部２９ｃを備える。
【００２１】
正極タブ群２５ａには、電極組立体１２と、後述の正極端子構造１５とを電気的に接続するための導電部材１７が接合されている。図示しないが、同様に、負極タブ群２８ａには、電極組立体１２と、後述の負極端子構造１６とを電気的に接続するための導電部材１７が接合されている。各導電部材１７は、蓋１４の内面１４ａと電極組立体１２のタブ側端面１２ａとの間に配置されている。
【００２２】
図１に示すように、正極端子構造１５及び負極端子構造１６は、それぞれ引出端子５１を備える。各極の引出端子５１は、導電部材１７と電気的に接続されている。引出端子５１は、蓋１４の外面１４ｂより外側に突出している。正極端子構造１５及び負極端子構造１６は、蓋１４の外面１４ｂで引出端子５１と電気的に接続された端子接続部材５２と、蓋１４の外側で端子接続部材５２と電気的に接続された外部接続端子５３を備える。正極端子構造１５及び負極端子構造１６は、端子接続部材５２及び外部接続端子５３を蓋１４から絶縁する外側絶縁部材５４を蓋１４の外面１４ｂに備える。電極組立体１２と蓋１４は、正極端子構造１５、負極端子構造１６、及び導電部材１７を介して一体化されている。
【００２３】
図２（ｂ）及び図３（ｂ）に示すように、二次電池１０は、ケース１１内において、電極組立体１２のタブ側端面１２ａと蓋１４の内面１４ａとの間に位置する矩形状の絶縁カバー６０を備える。絶縁カバー６０は、樹脂製である。図１に示すように、絶縁カバー６０は、導電部材１７に対し、正極タブ群２５ａ及び負極タブ群２８ａの先端側曲げ部２９ｃ側から装着された第１の絶縁カバー６０ａと、正極タブ群２５ａ及び負極タブ群２８ａの基端側曲げ部２９ａ側から装着された第２の絶縁カバー６０ｂとから構成される。
【００２４】
図４に示すように、第１の絶縁カバー６０ａは、矩形板状の第１部位６１と、矩形板状の第２部位６２と、第１部位６１の長手方向に沿う一辺と第２部位６２の長手方向に沿う一辺とを接続する第３部位６３とを備える。第１の絶縁カバー６０ａは、第１部位６１及び第２部位６２の面が蓋１４の内面１４ａと沿うように配置される。
【００２５】
図２（ａ）及び図３（ａ）に示すように、第１部位６１は、導電部材１７と、蓋１４の内面１４ａとの間に配置されている。第１部位６１は、導電部材１７に支持されている。第１部位６１は、電極組立体１２のタブ側端面１２ａと対向する対向面６１ａから電極組立体１２側に突出したリブ６４を備える。リブ６４は、蓋１４側に凹む形状の係止凹部６４ａを備える。
【００２６】
第２部位６２は、電極組立体１２のタブ側端面１２ａと、正極タブ群２５ａ及び負極タブ群２８ａの先端側曲げ部２９ｃとの間に位置する。第２部位６２は、先端側曲げ部２９ｃを電極組立体１２側から覆う。先端側曲げ部２９ｃは、導電部材１７と、第２部位６２と、第３部位６３とで区画された隙間に入り込んだ状態にある。
【００２７】
第２部位６２の長手方向の寸法は、第１部位６１の長手方向の寸法よりも長い。第２部位６２は、長手方向一端側に負極絶縁部６５を備え、長手方向他端側に正極絶縁部６６を備える。負極絶縁部６５は、負極端子構造１６における引出端子５１とタブ側端面１２ａとの間に位置し、負極端子構造１６と電極組立体１２とを絶縁する。正極絶縁部６６は、正極端子構造１５における引出端子５１とタブ側端面１２ａとの間に位置し、正極端子構造１５と電極組立体１２とを絶縁する。図３（ｃ）及び図３（ｄ）に示すように、第２部位６２は、負極絶縁部６５及び正極絶縁部６６の外面６５ａ，６６ａに、ケース本体１３の短側壁３２の内面３２ａと当接するカバー側当接部としての当接面６７ａを備える。また、第２部位６２は、負極絶縁部６５及び正極絶縁部６６の外面６５ａ，６６ａにガイド部としての斜面部６７ｂを備える。斜面部６７ｂは、当接面６７ａよりも電極組立体１２側に位置する。斜面部６７ｂは、立設方向において電極組立体１２に近付くにつれて短側壁３２の内面３２ａから離れるように直線状に傾斜するテーパ形状である。
【００２８】
第３部位６３は、正極タブ群２５ａ及び負極タブ群２８ａの先端側曲げ部２９ｃを外側から覆う。第３部位６３は、積層方向において、正極タブ群２５ａ及び負極タブ群２８ａの積層方向他端と、ケース本体１３の長側壁３１の内面３１ａとの間に位置し、先端側曲げ部２９ｃとケース本体１３とを絶縁する。第３部位６３は、外面６３ａに、ケース本体１３の長側壁３１の内面３１ａと当接するカバー側当接部としての当接面６８ａを備える。本実施形態の当接面６８ａは、蓋１４の突出部４０の長側当接面４１と面一である。また、第３部位６３は、外面６３ａにガイド部としての斜面部６８ｂを備える。斜面部６８ｂは、当接面６８ａよりも電極組立体１２側に位置する。斜面部６８ｂは、立設方向において電極組立体１２に近付くにつれて長側壁３１の内面３１ａから離れるように直線状に傾斜するテーパ形状である。
【００２９】
図４に示すように、第２の絶縁カバー６０ｂは、矩形状の第１部位７１と、第１部位７１の長手方向に沿う一辺から電極組立体１２に向けて立設された第２部位７２とを備える。
【００３０】
第１部位７１は、導電部材１７と、蓋１４の内面１４ａとの間に配置されている。第１部位７１は、第１の絶縁カバー６０ａに向けて突出した形状の係止用突出部７３を備える。係止用突出部７３は、先端部に係止爪７３ａを備える。係止爪７３ａは、第１の絶縁カバー６０ａの係止凹部６４ａに係止可能である。
【００３１】
第２部位７２は、正極タブ群２５ａ及び負極タブ群２８ａの基端側曲げ部２９ａを外側から覆う。第２部位７２は、積層方向において、正極タブ群２５ａ及び負極タブ群２８ａの積層方向一端と、ケース本体１３の長側壁３１の内面３１ａとの間に位置し、基端側曲げ部２９ａとケース本体１３とを絶縁する。第２部位７２は、外面７２ａに、ケース本体１３の長側壁３１の内面３１ａと当接するカバー側当接部としての当接面７４ａを備える。本実施形態の当接面７４ａは、蓋１４の突出部４０の長側当接面４１と面一である。また、第２部位７２は、外面７２ａにガイド部としての斜面部７４ｂを備える。斜面部７４ｂは、当接面７４ａよりも電極組立体１２側に位置する。斜面部７４ｂは、立設方向において電極組立体１２に近付くにつれて長側壁３１の内面３１ａから離れるように直線状に傾斜するテーパ形状である。
【００３２】
第１の絶縁カバー６０ａと第２の絶縁カバー６０ｂとは、第１の絶縁カバー６０ａの係止凹部６４ａに第２の絶縁カバー６０ｂの係止爪７３ａが係止されることで一体に組み付けられている。これにより、絶縁カバー６０は、矩形状のカバー部材となる。
【００３３】
次に、本実施形態の作用について、二次電池１０の製造方法とともに説明する。
導電部材１７を正極タブ群２５ａに接合し、正極タブ群２５ａに接合された導電部材１７とは別の導電部材１７を負極タブ群２８ａに接合する。これにより、電極組立体１２は、正極タブ群２５ａ及び負極タブ群２８ａを介して導電部材１７と接続される。そして、正極端子構造１５、負極端子構造１６、導電部材１７、及び絶縁カバー６０を蓋１４に組み付ける。これにより、電極組立体１２、蓋１４、正極端子構造１５、負極端子構造１６、導電部材１７、及び絶縁カバー６０は、一体化される。このとき、絶縁カバー６０は、蓋１４から突出した状態にある。この状態で、電極組立体１２をケース本体１３に収容し、その後で蓋１４をケース本体１３に組み付ける。
【００３４】
このとき、図２（ａ）及び図２（ｂ）に示すように、蓋１４をケース本体１３の底壁３０に向けて移動させると、蓋１４よりも立設方向において電極組立体１２側に位置する絶縁カバー６０が、斜面部６７ｂ，６８ｂ，７４ｂによってケース本体１３の開口部１３ａに挿入されるように案内される。さらに、蓋１４をケース本体１３の底壁３０に向けて移動させると、絶縁カバー６０の当接面６７ａ，６８ａ，７４ａは、ケース本体１３の長側壁３１及び短側壁３２の内面３１ａ，３２ａと当接する。絶縁カバー６０は、ケース本体１３の内部に収容された状態となる。さらに、蓋１４をケース本体１３の底壁３０に向けて移動させると、蓋１４の突出部４０は、ケース本体１３の開口部１３ａに挿入される。このとき、蓋１４の突出部４０の長側当接面４１及び短側当接面４２は、ケース本体１３の長側壁３１及び短側壁３２の内面３１ａ，３２ａと当接する。そして、蓋１４の内面１４ａがケース本体１３の長側壁３１及び短側壁３２の先端部に接触し、ケース本体１３と蓋１４との組み付けが完了する。
【００３５】
次に、本実施形態の効果を記載する。
（１）ケース本体１３と蓋１４とは、蓋１４よりも電極組立体１２側に位置する絶縁カバー６０がケース本体１３内に収容された後で組み付けられる。このとき、絶縁カバー６０は、斜面部６７ｂ，６８ｂ，７４ｂによってケース本体１３の開口部１３ａに挿入されるように案内され、蓋１４は、絶縁カバー６０によってケース本体１３の開口部１３ａに向かうように案内されるため、ケース本体１３と蓋１４とをスムーズに組み付けることができる。また、絶縁カバー６０の当接面６７ａ，６８ａ，７４ａがケース本体１３の内面３１ａ，３２ａと当接することによって、ケース本体１３と蓋１４との位置ずれが抑制される。また、絶縁カバー６０は樹脂製であるため、絶縁カバー６０が金属製のケース本体１３と接触したとしても、金属製の蓋１４が金属製のケース本体１３と接触する場合よりも、異物の発生を抑制できる。
【００３６】
（２）蓋１４は、蓋１４の内面１４ａから電極組立体１２側に向かって突出する突出部４０を有する。突出部４０は、ケース本体１３の長側壁３１の内面３１ａと当接する長側当接面４１と、ケース本体１３の短側壁３２の内面３２ａと当接する短側当接面４２とを有する。このため、ケース本体１３と蓋１４とを組み付けた状態において、絶縁カバー６０の当接面６７ａ，６８ａ，７４ａと蓋１４の突出部４０の長側当接面４１及び短側当接面４２の両方が、ケース本体１３の長側壁３１及び短側壁３２の内面３１ａ，３２ａと当接する。また、蓋１４は、金属製であるため、絶縁カバー６０に比べて剛性が高い。よって、ケース本体１３と蓋１４との位置ずれをより抑制できる。
【００３７】
なお、上記実施形態は、以下のように変更してもよい。
○  ケース１１の形状は直方体状に限定されず、例えば円柱状でもよい。この場合、ケース本体１３は有底円筒状であり、蓋１４は円板状である。
【００３８】
○  電極組立体１２は、巻回型の電極組立体でもよい。
○  正極電極２０において、正極活物質層２４は正極金属箔２３の片面に存在してもよい。同様に、負極電極２１において、負極活物質層２７は負極金属箔２６の片面に存在してもよい。
【００３９】
○  蓋１４は、突出部４０を備えていなくてもよい。
○  正極端子構造１５及び負極端子構造１６は、引出端子５１、端子接続部材５２、及び外部接続端子５３を用いた構造以外でもよく、例えば、電極端子が導電部材１７に直接接続されたものでもよい。
【００４０】
○  絶縁カバー６０は、上記実施形態のように第１の絶縁カバー６０ａと第２の絶縁カバー６０ｂの２つを備える構成でなくてもよい。絶縁カバー６０は、１つの部材から構成されてもよいし、３つ以上の部材から構成されてもよい。
【００４１】
○  第１の絶縁カバー６０ａと第２の絶縁カバー６０ｂを一体化させる方法は、係止凹部６４ａと係止爪７３ａとの係止以外の方法であってもよい。
○  絶縁カバー６０の当接部及びガイド部の形状は適宜変更してよい。
【００４２】
例えば、図５（ａ）に示すように、絶縁カバー８０は、立設方向において電極組立体１２に近付くにつれて長側壁３１及び短側壁３２の内面３１ａ，３２ａから離れるように曲線状に傾斜する斜面部８１をガイド部として備えていてもよい。
【００４３】
例えば、図５（ｂ）に示すように、絶縁カバー９０は、立設方向における絶縁カバー９０の中央から蓋１４に近付くにつれて長側壁３１及び短側壁３２の内面３１ａ，３２ａから離れるように傾斜する第１斜面部９１と、立設方向における絶縁カバー９０の中央から電極組立体１２に近付くに連れて長側壁３１及び短側壁３２の内面３１ａ，３２ａから離れるように傾斜する第２斜面部９２とを備える。第２斜面部９２は、ガイド部である。また、絶縁カバー９０は、第１斜面部９１と第２斜面部９２との境界部に、ケース本体１３の長側壁３１及び短側壁３２の内面３１ａ，３２ａと当接する当接部９３を備える。
【００４４】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の教授を行うものであればよい。
【００４５】
以下に上記実施形態から把握できる技術的思想を、その効果とともに記載する。
（イ）前記絶縁カバーの当接部と前記蓋の当接部は面一である蓄電装置。
蓋の突出部は、絶縁カバーがケース本体に収容された後でケース本体に挿入されるが、絶縁カバーの当接部と蓋の当接部との間に段差がないため、ケース本体の開口部と蓋の当接部とをよりスムーズに組み付けることができる。
【符号の説明】
【００４６】
１０…蓄電装置としての二次電池、１１…ケース、１２…電極組立体、１２ａ…タブ側端面、１３…ケース本体、１３ａ…開口部、１４…蓋、１４ａ…内面、１７…導電部材、２０…正極電極、２１…負極電極、２５…タブとしての正極タブ、２５ａ…タブ群としての正極タブ群、２９…タブとしての負極タブ、２９ａ…タブ群としての負極タブ群、３１ａ，３２ａ…内面、４０…突出部、４１…蓋側当接部としての長側当接面、４２…蓋側当接部としての短側当接面、６０…絶縁カバー、６７ａ，６８ａ，７４ａ…カバー側当接部としての当接面、６７ｂ，６８ｂ，７４ｂ…ガイド部としての斜面部。
【図１】
2018190510.tif 000003
【図２】
2018190510.tif 000004
【図３】
2018190510.tif 000005
【図４】
2018190510.tif 000006
【図５】
2018190510.tif 000007